【手続補正書】
【提出日】平成17年7月16日(2005.7.16)
【手続補正１】
【補正対象書類名】明細書
【補正対象項目名】特許請求の範囲
【補正方法】変更
【補正の内容】
【特許請求の範囲】
【請求項１】
圧縮室内を直線運動又は軸回りの回転運動する押し面で圧縮して廃物又は副生物を加熱加圧減容、熱処理又は乾燥から選ばれた処理をして処分又は資源化する場合に、（１）チェーンブロック、（２）ウインチ、（３）ラチエット付きハンドル、（４）ロール或いはプリー、（５）加圧面の真空引き、（６）梃子或はハンドル（７）錘から選ばれた手段の１つ又は組合せを真空ポンプ、電動機、手動．又は錘から選ばれた手段で駆動して加圧面又は加熱加圧面を移動すること、又は加圧用錘吊り上げに使用することからなり、張力系又は圧縮系にバネを使用し又は使用しない廃物又は副生物の熱処理又は乾燥方法。
【請求項２】
加圧室内又は室内側面を通る可撓線状物または棒状物で加圧面を引張って移動し滑車或は滑り面を使用し、又は使用しない請求項１記載の熱処理又は乾燥方法。
【請求項３】
フィン又は突起伝熱促進面を有する加圧面間に被処理物を装入し上又は下の加圧面の往復、上下、往復回転、回転作用の１つ又は組合せを利用する泥状物、付着性物又は生ゴミの加熱又は乾燥法。
【請求項４】
廃熱であってもよい熱風加熱面、輻射面又は電気加熱板の片側又は両側に有孔板を置いて空間を設け、有孔板の外側にスペーサ構造を挟んで、複数であってもよい孔あき断熱用フイルム、熱線反射蒸着フイルム、孔あき発泡プラスチックシート又は箔であってもよい金属薄板から選ばれた仕切りを設け、更に外装板又は熱回収器を兼ねてもよい外側の冷却面又は別置きの冷却面を設けて、気化した水蒸気を冷却面に凝縮させて乾燥する生ゴミまたは含水物乾燥法。
【請求項５】
加熱部と冷却面間に連続又は間欠的に気流を自然対流又は強制循環する請求項４記載の生ゴミまたは含水物乾燥法。
【請求項６】
竪或は横の回転体面又は少なくとも一部が回転体面の胴である面で構成する内壁を有する加圧室と加圧室内壁を掃引する加圧又は加圧加熱面と、回転面の軸の周囲に回転又は往復回転する固定面又は移動面の間に廃物又は被処理物を入れて回転中心軸周囲に回転又は往復回転する単数又は複数の回転板又は格子を設け、回転板又は回転格子の間で廃物を圧縮する廃物又は副生物の圧縮、圧縮脱水、圧縮加熱減容又は乾燥法。
【請求項７】
加圧室壁或は回転板又は回転格子が伝熱面である請求項６記載の圧縮減容又は乾燥法。
【請求項８】
ＰＰバンド廃物を加熱圧縮室堆積に重ねて詰め込み加熱して溶かすことなくバンド表面を相互に圧縮融着した板状又は塊状成型物。
【請求項９】
生ゴミ、紙屑、廃材、廃材チップ、間伐材、枝葉から選ばれた材料又は混合物を乾燥温度と乾留温度との中間温度又は２６０℃付近で、不活性雰囲気乃至空気雰囲気中で脆化させ又は脆化に次いで同一装置又は別の破砕機で砕片又は粉粒とする圧縮減容又は乾燥法。
【請求項１０】
生ゴミ、紙屑、廃材、廃材チップ、間伐材、枝葉から選ばれた材料又は混合物を乾燥温度と乾留温度との中間温度で、不活性雰囲気乃至空気雰囲気中で加熱脆化させ次いで同一装置又は別の装置で圧縮圧縮減容し或いは破砕機で砕片又は粉粒とした後に、貯蔵容器、粉体輸送管路、粉体輸送車、運搬容器から選ばれた１つ又は組み合わせ輸送手段で収集し埋立、成型材料、土壌代替材或いは土壌改良材とし、又は燃料又は炭素性原材料とする処理法。
【請求項１１】
比較的温度制御精度が低い加熱面であるホットプレート又は伝熱面と加熱すべき廃物の間に面発熱体又はホットプレート面を実質的に覆う加熱面と加熱面の温度検出素子とからなる温度測定要素を配置した温度制御法。
【請求項１２】
廃物容器投入口にアタチメント或いは格子状であってもでもよい漏斗状部分又は鍔を設けプラスチック又は紙の袋状容器であってもよいフイルム又はシートで廃物を包み込み投入口又は筒状部口に置いて廃物を加圧または加圧加熱室に吸引して収容し、続いて加圧面を置きまたは置かない廃物の容器又は処理室への収納方法。
【請求項１３】
断熱した屑容器の耐熱性の加熱室底に錘又は錘を兼ねた加熱板を置き、錘の上に袋を置き、廃プラスチック又は紙屑を投入し、又は袋入り廃プラスチックを投入し電熱板を付けまたは付けない蓋をして転倒して加熱圧縮し圧縮後に累積又は累積せずに取り出す廃物の加熱加圧減容、熱処理又は乾燥方法。
【請求項１４】
被処理物を弾性枠、バネ、鎖状又は金属格子から選ばれた熱伝導性金属とともに加熱面付近に置き加熱面に押しつけて加圧加熱乾燥し次に被処理物を分離する加圧加熱乾燥方法。
【手続補正２】
【補正対象書類名】明細書
【補正対象項目名】０００４
【補正方法】変更
【補正の内容】
【０００４】
【問題を解決するための手段】
発明者らの先の発明で加圧加熱機構小型化、紙屑、廃プラスチック、生ゴミ等のゴミ処理機を提案した。本発明は更に改良多用途化する。食品加工廃物、茶殻、コーヒー滓等の嵩高、高水分で熱伝導が悪いゴミも伝熱面を介し容易に加熱乾燥して排気量を減じ排気処理も小型化し廃物の発生源での減容、輸送、後処理、炭化、コンポスト化も容易にした。乾燥電熱、燃料燃焼熱、排気熱等を加熱面に与え、或いは廃物等を加熱面に押し付けつつ圧縮、バネを利用する圧縮、廃熱又は別の加熱系での廃プラスチック、活性炭等の加熱再生（特許第２７２７４５２、特願昭６３−３７７５９）、上または下にある融着温度未満の加熱面に廃プラスチック、紙を押しつけ圧縮するもの（特願平３−２８７４０３）、便利な出し入れ容器加圧加熱操作の簡便化（特願平１１−２３８７５４）、廃熱、物体の熱容量を利用、（特願平１１−３１５７８７）、特願平１１−２３７３５４、特願平１１−２５３４０２、特願２００１−１３０３２３、２８０７１３、４０２３４４、及び必要により「廃物収集利用法とビジネスモデル（平１３年特願）等と本発明の選択、組合せにより一層の省エネ、コンパクト低コスト化、安全への適合ができる。


【手続補正３】
【補正対象書類名】明細書
【補正対象項目名】０００５
【補正方法】変更
【補正の内容】
【０００５】例えば圧縮に回転、往復回転、機械的強度、組み立てに悪影響を与えない程度の間欠又は連続の低周期振動を加えて被処理物のブリッジ形成を破壊して圧縮率を改善し、生ゴミ、紙質では加えて加熱脆化し或いは煮て軟化させ比較的弱い力でも破砕し、伝熱面との接触を改善し、振動での緩みを交互に与えて乾燥促進できる。手動であってもよい回転と振動は中心軸設置により安定する。回転運動は間欠でもよい。従い電動の他、錘、バネによる駆動、引上げ下げの綱による駆動もできる。手動も容易で長い加圧面移動工程、出し入れ手段選択と伝熱面積の大幅増大により、比較的低温度、６０乃至１８０℃で、廃プラスチック、紙屑減容は比較的短時間、生ゴミ乃至泥状物は１分以上の殺菌加熱から時間単位の乾燥ができる。事務廃紙、粗廃材、間伐材、バイオマス等は５分乃至１日の単位で１６０乃至木質引火危険の２６０℃未満の低度熱分解で褐色化乃至黒色脆化し引裂強度と折れ強度の低下、手揉み粉砕で判定する。撹拝、磨砕、圧潰による細片化又ば粉粒化可能にし粉粒輸送化、ダストシュート収集を清潔容易にできる。低温乾留炭と異なり粉化抵抗性があり、濾過、集塵容易になる。多機能な加圧加熱装置は撹拌翼、フィンを付け減容と同一装置で小片粉粒化できる。加熱には熱風吹込でなく伝熱面加熱により被処理物を加熱軟化、又は脆化変形減容し又は、粉砕減容し加熱制御で分解ガス、煙発生は少量で排気循環処理程度で足りる。温度謂節系利用で食品乾燥や木質の煙発生で薫製も容易になり多機能化できる。殺菌乾燥温度８０℃以上の断続排気熱の利用は、廃熱と燃料、電力ヒーターの切替えで可能になった。特に生ゴミ、泥乾燥に有用である。蒸発面と近接凝縮面間に多孔壁、好ましくは輻射熱反射断熱幕設置、廃熱とヒーター共存の熱源選択で廃熱利用できた。但し併用に限定するものではない。本発明の廃物再利用の減容操作で伝熱面温度域制御では品質劣化防止が容易である。類似温度域及び炭化温度未満の酸化雰囲気での炭素の酸化脱離処理を発明者の先の発明で提案した（特願２００１−４０２３４４）。熱硬化性プラスチック、化学架橋又は物理架橋汎用ゴムも１５０℃付近で軟化し急冷し脆化粉砕可能になる。嵩高の分散相廃物は小型の加圧室の小さい装入口から効率よく装入し低圧利便化できる。装入口に漏斗作用を持つ縁を付け、好ましくはフッソ樹脂等の低摩擦樹脂ライニング、塗装、固体又は液体潤滑剤塗布、鏡面加工等で摩擦を減じる平滑化、流線化、低摩擦面、誘導格子加工ができる。そして嵩高のゴミ、廃物を真空又は減圧吸引して減容機に装入でき、仕切板を挿入し又は挿入せずに廃物又は袋、シートを累加加熱加圧減容できる。真空掃除機、手動又自動吸引ポンプ、水流ポンプが使える。


【手続補正４】
【補正対象書類名】明細書
【補正対象項目名】０００８
【補正方法】変更
【補正の内容】
【０００８】加圧源、撹拌動力源としての手動、機械力による錘の上げ下げは応力緩和を利用する時間をかけた減容を容易にする。生ゴミ乾燥では全く熱風吹き込みをせず排気処理を小型高度浄化する加熱熱源の低コスト化のため特に生ゴミは調理又は加工直後の腐敗開始前に脱水又は加熱殺菌し比較的低温で常温付近乃至比較的低温の気流、気温、風で間接表面接触乾燥するのがよい。屑、廃棄物処理では、その形態、質が多様で、圧縮率が大きい大幅減容で５分の１乃至３０分の１にする機器の小型化、簡易化の困難があった。圧縮用移動伝熱面の開閉機構、投入操作、農林、園芸の小枝処理、書類消滅を簡便に、分散小型装置で発生源で資源再生を考慮した種類別処理技術の経済化は難しいものとされていた。新熱源、廃熱利用の時には断熱をきかせて遅いが継続的加圧、加熱又は低温酸化により降伏変形又は化学構造的に解離して変形させて圧縮するのが有利である。本発明はこの現象を極度に利用するものである。また、少量ずつ加熱圧縮すると紙、プラスチック或は生ゴミでも圧縮は容易で圧縮率、乾燥の加速可能である事が分かった。少量ずつ発生ごとに加熱圧縮、乾燥するには簡易かつ強い圧縮力が好ましい。圧縮初期の圧縮力は小で０．０１乃至０．１ＫＧ／ｃｍ２、終期には０．１乃至２ｋｇ／ｃｍ２程度が好ましいが、軟化温度付近では０．１ｋｇ／ｃｍ２程度でもよい。被処理物であるゴミ、再生用材料、ゴミ燃料材料は嵩比重０．０１乃至０．１の程度が多くこれを０．１乃至０．８に圧縮し、３分の１乃至３０分の１程度に減容できる。間接加熱、または間接加熱を主とするので、過熱による熱分解や酸化分解による悪臭の発生は少なく、排気は少量であるから必要によって活性炭、炭等の吸着剤層、触媒層を通して無臭で圧縮減容し資源化できる。


【手続補正５】
【補正対象書類名】明細書
【補正対象項目名】００１０
【補正方法】変更
【補正の内容】
【００１０】ゴミ、廃物は袋入り、バラ、成型ゴミ、半成型ゴミの形で取り出し容器に入れ、またはバラで圧縮室に投入し又は詰め込むことができる。真空引は詰め込みを容易にする。廃プラスチックフイルム、シート状の紙屑、或は紙屑、生ゴミをプラスチックフイルム袋、紙袋等に入れて（１）加圧面又は錘の移動を蓋構造により容易にし、錘荷重の簡易化、加圧面のロープによる引張り機構等による装置小型化と低コスト加圧、（２）高圧縮比機構をロープ等の引張り巻き取り機構で小型化、（３）蓋開閉操作と錘の操作簡易化、（４）圧縮力にウインチに例示できるロールと歯車、挺子原理によるベルト、ロープ、チェーン操作等による錘上下、加圧板の移動、（５）従来噛み込み必至と思われていたゴミ室内に鞘、溝、ガイドを設けてロープを収納しゴミ噛み込み防止排除機構、（６）最初低圧で終期高圧の加圧で効率化、（７）筒型の圧縮室内に回転圧縮面の回転軸を設け、移動圧縮面間又は移動圧縮面と固定加熱面間で被処理物を圧縮する機構により圧縮操作と圧縮面の容易な更新、（８）これらにより少量ずつ効率よく圧縮すること、（９）ウインチは汎用のブラインド、スポーツ用網展張用小型ウインチも使用できることがわかり、回転型圧縮面の駆動力に筒型圧縮室の周方向にロープ、ベルトを回してロール、Ｖプリ又は歯車系による駆動、（１０）ウインチは駆動端、従動端の切替えによって同一物を増速用に切替え使用による、圧縮初期の圧縮高速化、低速高圧化、濡れた生ゴミの遠心脱水にも利用でき機器の多機能化に有用である。（１１）圧縮板を軸の周囲に回転して固定又は回転加熱板に押しつける場合に、中心軸をハンドル、又は取手で動かすか、ロールとロープ（或はベルト、歯形ベルト）を利用して駆動し又はウインチのように歯車増減速を利用すること。これらからの選択又は組み合せにより装置小型化、操作の簡易利便性の向上、効率的高圧縮、経済化を可能にした。


【手続補正６】
【補正対象書類名】明細書
【補正対象項目名】００１１
【補正方法】変更
【補正の内容】
【００１１】小型電動機、或いは人力による錘の位置エネルギーを駆動平準化も利用できる。人力と動力の切替え機構が便利である。２０乃至５０ＫＧＦ程度の一時的な強い力は小型減容機器では人力が有利である。２分の１乃至３０分の１程度の高圧縮の駆動力として、手動或いは電動小型ウインチ、挺子併用の回転巻取具、滑車が適している。業務用にはチェーンブロック、レバー付チェンブロック、巻き締め機器を使用できる。線状物である金属或いは有機、無機の繊維、糸、鎖、紐、テープ、コイル、キャタピラー、棒を加圧面又は加熱加圧面の移動に使用でき、高揚程或いは長いピストン行程を容易に実現して廃物の高圧縮減容を低コストで達成する。追加の歯車、滑車、潤滑面、ベアリング、プリー等と併用して増力、或は方向変換して機器に取り付け、一層便利になる。ウインチで限度まで圧縮の後に回転胴の差し込み穴に挺子を差し込んで巻き取りプリー（換言すればロクロ）として圧縮力追加もできる。軸、ベアリング、支持台を強化することが条件になる。錘は生ゴミ乾燥機の撹搾動力にも使える。圧縮面、枠、又はピストン等を引っ張り錘を吊り上げて圧縮面等の上に於いて重石とすることもできる。引張りを綱、紐、線材、テープ、ワイヤロープ、綱、柔軟性の紐状金属テープ、鎖、バネあるいはそれらの複合物（以下、綱と総称する）では巻き取ることができて、揚程、行程が長く、必要により滑車、歯車を組合せて方向変換、ループ構成が自由で減容機器の小型化ができる。金属繊維、ＰＥＴ等比較的耐熱性の高分子の紐或いは金属繊維を複合した紐、テープ等を使用できる。


【手続補正７】
【補正対象書類名】明細書
【補正対象項目名】００１９
【補正方法】変更
【補正の内容】
【００１９】図３は直立円筒型装置で高さ方向の回転中心軸を持つ。この軸に１枚以上の圧縮面１１、又は１枚以上の加熱圧縮面１８計２枚以上を回転自在に蝶番状に取付けている。投入口４０から圧縮面間に廃物１４を投入し加熱圧縮面１８に押付け加熱圧縮減容する。貯留部兼圧縮部は蓋２７を開けて汎用の屑箱同様にバラ、袋入りゴミ投入、袋差し込み、廃物投入口４０に小袋を挟むこともできる。取り外し自在の補助板４４は圧縮して板状になった廃物を１１の表面に沿って立て、１１を戻して追加の圧縮を行った後に代りの第２の補助板との差し替えができる。補助板は多孔板，格子、フォーク状でもよい。
この構造は加圧加熱面１８を被処理物貯留加圧室３０内部に設けて熱損失、電力等のエネルギー消費を少なくし、しかも低温廃熱の有効利用、菌増殖の抑制温度、例えば５０乃至６０℃の一時又は常時運転を可能にした。取り扱い利便牲、清潔性、圧縮能率も向上でき、冷却凝縮面を付けると同一設備で常時乾燥操作も可能になった。
図１０は図３の平面図である。加熱圧縮面１８は固定又は可動で圧縮面１１は可動である。取り出し部開閉蓋４７は保温、又は加熱機能を持つのが好ましい。開閉又は引戸を含め加熱機能を持つ加熱板部はゴミの貯留部の内板、外板部を薄板等で熱的に実質的に遮断しているのが好ましい。同じ意味で加圧板は断熱性板であるか、少なくとも片面を断熱とするのが好ましい。図１１は図１０のＡＡ断面で、取手５１は軸の周回転と中心の角キーにより２枚の加圧板１１を区別して駆動する。


【手続補正８】
【補正対象書類名】明細書
【補正対象項目名】００２２
【補正方法】変更
【補正の内容】
【００２２】図２５、図２６はそれぞれ生ゴミ，バイオマスの乾燥、低温炭化による脆化熱処理減量に適した装置の横断図面、縦断面図である。伝熱面の室２の内部配置、水凝縮面との間に水蒸気透過用穴がある断熱用薄板、箔、フイルム又は輻射線反射蒸着フイルム７５、７６を入れて熱損失を減じている。水分凝縮による断熱効果の低下がなく凝縮水分は流下して分離する。穴７７と７８は熱輻射線を遮蔽し熱損失防止のために位置をずらしている。ヒーター部は加熱用熱風邪魔板を設け又はヒーター２０で邪魔板を兼用して内部循環できる邪魔板は熱風或いは熱排気は７３から入り生ゴミ１４に熱を与えて水分を蒸発させる。水蒸気は多孔壁１３の孔を通過して多孔フイルム壁７５、７６を通過し、１部凝縮し凝縮面である外壁１６で全縮し、凝縮水は管８３から排出する。自然または強制循環気は１０８、１０９から出て１０６、１０７から入る。冷却室上下間の制約された対流は生ゴミの沸点を５乃至４０℃程度下げ、廃熱の利用効率を上げる。
なお水を張った容器の水面、生ゴミとも９０乃至９５℃で盛んに水分蒸発がある。
真空ポンプ減圧下ではさらに低温での蒸発があることは当然である。ヒーター６９は低温廃熱、初期の腐敗防止殺菌加熱、及び乾燥熱を供給し、熱均一化邪魔板にもなる。ガス加熱、触媒燃焼加熱もできる。７０、７１は凝縮水からの熱回収用伝熱面、套、集合管で外壁１６の全面又は１部を覆う。熱は空気予熱、暖房用にしてもよい。図２７は室２内部にヒーターを設け、ゴミ加熱、乾燥層で円筒断面であるが図１同様３角、多角形筒、板状、箱状等任意である。フィン５３は１９と伝熱用ハニカムを構成している。排気、熱風等は穴７３から加熱部７４に入る。図２８は筒状又は環状の押し面１１と繋ぎ用切欠８５、破砕歯８４を持つ押し具、排気ヒーターを示す。上部から棒、押さえ１１等を差し込み錘自動或いは手で加圧し、又は回転駆動して水分を絞り、しかも伝熱量を増加する。図２９乃至３４は加熱面１１、１８の伝熱促進又は破砕用異型表面である。撹拌のための曲り、つば、螺旋があってもよい突起、針、剣山、円周フィン、分配に有利な切欠１１０があるフィン５９、波板等の種々の組合せができ、固定、又は往復運動、回転往復回転、振動できて伝熱面積の増加、被処理物の熱伝導促進、生ゴミの破砕、加熱破砕、機密文書類紙の加熱劣化破砕廃棄の促進に便利である。
紙等は挟んで熱劣化させ２面間で摺合せ又は回転して粉砕、或は引き裂く装置の加熱面を構成できる。駆動には公知の電動、手動機構を適用できる。例えばミキサーの回転機構、回転砥石機構等が使えるが低速でよく、繊維質の巻き付き防止には往復運動が適当である。掃除手間省略のため伝熱面、破砕チップ、針の汚染、錆の自動除去が好ましいが、針、刃、チップの一部をブラシ、タワシ等に置換すると便利である。或は掃除用の砂、鋸屑、切藁，木片をいれ若くは乾燥後撹拌し自己研磨清掃できる。図３５は直接には図９、図１０、図１１、図１２、図１３、図１７等その他の駆動ロール、滑車等の回転中心軸駆動に適した挺子、挺子部の伸縮可能のラチェットレンチである。挺子、ハンドル、錘、電動機、シリンダ駆動他、圧縮応力緩和に対して継続的に圧をかけるために加圧後に図１２のように鉤等の止め具、穴３０で固定したバネ３１を介して固定し、或いは錘を吊り下げることができる。滑車と綱を利用して方向転換してもよい。これは図１以下に示したロール、プリー、滑車の回転、張力かけ、錘上下、圧縮方向の転換にも適している。図３６は軸受１０４を芯にして上下１８０度又は斜めに転倒して錘である伝熱面又は加圧面１１、１８、７を重力で上下乃至斜め方向に移動して加熱圧縮する。錘７は電熱９で予熱し転倒時には分離するので電気的接続の問題は少ない。ゴミ発生ごとに少量ずつ加熱殺菌圧縮減容し、効率的に処理、臭気防止、装置小型化ができる。圧縮した被処理物は補助容器１７蓋２７側に保持されるので取り出しが容易である。図３７は枠２４を要せずに９０度転倒で錘７を被処理物に載せて圧縮する。電熱９を省略することもできる。図の右側に転倒すると錘位置は元に戻り、さらに正位置に戻して被処理物は蓋２７を開けて取り出せる。この型は図の垂直方向奥行きが長い簡易な減容機に適した構造と操作である。機密文書等を挟んで熱劣化させ２面間で摺り合わせ又は回転して粉砕、或いは引き裂くこともできる。シュレッダーにかけたものを同様に処理してもよい。少量発生するガスは小型の活性炭、木炭脱臭剤を通せばよい。粉砕物はコンポスト又は炭素原料になる。対象物は生ゴミであってもよい。針はヘアピン、エンボス加工面突起であってもよい。図３８の減容機説明図において比較的大寸の廃プラスチックフイルム１４を台１１３と押さえ１１４の間にゆるく挟み先端を穴１１６に差し込み軸１１５を回転して撚りをかけ減容しつつロール６を回転して巻き取る。巻き取った廃フイルムは電熱カーペットで包み込んで軟化した後適宜放冷してロール６から外せる。外したものは図１等の装置で処理できる。
【作用】加熱加圧室内にバラの廃物或いは廃物入りの取出し用容器を入れ又は加熱加圧室内の取出し用容器に廃物を投入し、加圧面を移動して滑車、錘等を使用して目的、対象材料によって制御した条件で圧縮する。圧縮室に１本以上のロープガイドを設けたものは加圧面の振れを防止し装置の損傷を防ぎ、廃物成型物の形状の整合性を保てる。廃プラスチック、廃紙、生ゴミを少ない劣化で圧縮、加熱圧縮成型する。また紙書類、生コミ、勢定枝、廃材又は紙屑、木質を間接加熱温度制御しつつ加熱して圧縮減容し或いは熱劣化又はフミン化減容し、粉末燃料化、褐色、濃褐色土壌様物乃至黒色のコンポスト類似物化とする。